(57)【特許請求の範囲】
【請求項１】
ノズルを有する箱状のジョイント部材に、互いに種類の異なる流動体が充填された２つの容器が、その流動体がジョイント部材の内部空間に供給可能に連結されて、この内部空間に供給された各流動体がノズルを介して外部へ吐出される二連式容器であって、
前記内部空間には、この内部空間を、一方の容器から流動体が供給される部分と他方の容器から流動体が供給される部分とに仕切り、かつこれらの仕切られた空間を並列させてノズルに連通させる仕切り部が設けられ、
前記ジョイント部材は、上下方向両端部がそれぞれ開口する筒状体の各開口部が、上面壁および下面壁で各別に閉塞されるとともに、ノズルの設けられた側壁前面側から見て横長とされて、その長手方向中央部にノズルが設けられるとともに、長手方向両端部に前記２つの容器がそれぞれ連結され、
前記仕切り部は、前記内部空間へのノズルの開口部からこの内部空間におけるノズルの開口部と反対側に向けて延在して、この内部空間を、前記ノズルの開口部に対向する部分と、この部分を長手方向に挟んで互いに対向する第１空間および第２空間とに仕切る一対の仕切り板と、
これらの仕切り板同士をつなぎ、前記内部空間のうち前記ノズルの開口部と対向する部分を一方の部分と他方の部分とに分割する分離板と、
前記一方の部分とノズルとを連通させる第１通路、および前記他方の部分とノズルとを連通させる第２通路とを備え、
前記一対の仕切り板のうち、一方の仕切り板に、前記一方の部分と前記第１空間とを連通させる第１導入孔が形成されるとともに、他方の仕切り板に、前記他方の部分と前記第２空間とを連通させる第２導入孔が形成され、
前記第１、第２通路の少なくとも一方は複数設けられるとともに、これらの第１、第２通路が前記長手方向に交互に並んでノズルに開口していることを特徴とする二連式容器。
【請求項２】
請求項１記載の二連式容器において、
前記分離板は、その表裏面が、ジョイント部材の前記上面壁および下面壁と平行となるように設けられた平板状とされ、前記内部空間のうち前記ノズルの開口部と対向する部分をジョイント部材の上面壁側の部分と下面壁側の部分とに分割し、
前記第１、第２通路はこの分離板のノズル側の端部に連設され、第１通路は前記上面壁側の部分とノズルとを連通させるとともに、第２通路は前記下面壁側の部分とノズルとを連通させ、
前記第１導入孔は、前記上面壁側の部分と前記第１空間とを連通させるとともに、前記第２導入孔は、前記下面壁側の部分と前記第２空間とを連通させ、
前記第１導入孔から前記上面壁側の部分に導入された一方の流動体が、前記第１通路を介してノズルに到達するとともに、前記第２導入孔から前記下面壁側の部分に導入された他方の流動体が、前記第２通路を介してノズルに到達することを特徴とする二連式容器。
【請求項３】
請求項１記載の二連式容器において、
前記仕切り部は、前記内部空間のうち前記ノズルの開口部に対向する位置に配置された箱体を備え、前記一対の仕切り板はこの箱体の表面に設けられ、
前記分離板は、これらの仕切り板の延在する方向における中間部同士をつなぎ、前記内部空間のうち前記ノズルの開口部と対向する部分を、ノズル側の部分とノズルと反対側の部分とに分割し、
前記第１、第２通路は、前記箱体の内部に前記ノズルの開口部に向けて延在して形成されるとともに、この箱体において前記ノズル側の端面および表面に開口し、第１通路は前記ノズル側の部分とノズルとを連通させるとともに、第２通路は前記ノズルと反対側の部分とノズルとを連通させ、
前記第１導入孔から前記ノズル側の部分に導入された一方の流動体が、前記第１通路を介してノズルに到達するとともに、前記第２導入孔から前記ノズルと反対側の部分に導入された他方の流動体が、前記第２通路を介してノズルに到達することを特徴とする二連式容器。
【請求項４】
請求項１から３のいずれか１項に記載の二連式容器において、
前記ジョイント部材は開閉可能とされるとともに、前記仕切り部における前記ノズルの開口部と反対側の端部と、前記内部空間における前記ノズルの開口部と対向する対向面との間にこれらを係合する係合部が設けられ、ジョイント部材を開いた状態で、前記仕切り部は、この係合部によって係合されつつ前記内部空間に対して着脱可能とされていることを特徴とする二連式容器。
【発明の詳細な説明】
【技術分野】
【０００１】
本発明は、ノズルを有する箱状のジョイント部材に、互いに種類の異なる流動体が充填された２つの容器が、流動体がジョイント部材の内部空間に供給可能に連結されて、前記内部空間に供給された流動体がノズルを介して外部へ吐出される二連式容器に関するものである。
【背景技術】
【０００２】
この種の二連式容器として、例えば下記特許文献１に示されるような、２種類の流動体をジョイント部材の内部空間内で混合した後に、この混合体をノズルから外部へ吐出する構成が知られている。
【特許文献１】特開２００４−９０９９０号公報
【発明の開示】
【発明が解決しようとする課題】
【０００３】
しかしながら、近年では、製品の使用時においてその見映えを良くしてその製品に競争力を具備させる等のために、２種類の流動体を並列させてストライプ状にノズルから吐出することができる二連式容器が望まれている。
【０００４】
本発明は前記状況に鑑みてなされたもので、２種類の流動体を並列させてストライプ状にノズルから吐出することができる二連式容器を提供することを目的とする。
【課題を解決するための手段】
【０００５】
このような課題を解決して、前記目的を達成するために、本発明の二連式容器は、ノズルを有する箱状のジョイント部材に、互いに種類の異なる流動体が充填された２つの容器が、その流動体がジョイント部材の内部空間に供給可能に連結されて、この内部空間に供給された各流動体がノズルを介して外部へ吐出される二連式容器であって、前記内部空間には、この内部空間を、一方の容器から流動体が供給される部分と他方の容器から流動体が供給される部分とに仕切り、かつこれらの仕切られた空間を並列させてノズルに連通させる仕切り部が設けられ、前記ジョイント部材は、上下方向両端部がそれぞれ開口する筒状体の各開口部が、上面壁および下面壁で各別に閉塞されるとともに、ノズルの設けられた側壁前面側から見て横長とされて、その長手方向中央部にノズルが設けられるとともに、長手方向両端部に前記２つの容器がそれぞれ連結され、前記仕切り部は、前記内部空間へのノズルの開口部からこの内部空間におけるノズルの開口部と反対側に向けて延在して、この内部空間を、前記ノズルの開口部に対向する部分と、この部分を長手方向に挟んで互いに対向する第１空間および第２空間とに仕切る一対の仕切り板と、これらの仕切り板同士をつなぎ、前記内部空間のうち前記ノズルの開口部と対向する部分を一方の部分と他方の部分とに分割する分離板と、前記一方の部分とノズルとを連通させる第１通路、および前記他方の部分とノズルとを連通させる第２通路とを備え、前記一対の仕切り板のうち、一方の仕切り板に、前記一方の部分と前記第１空間とを連通させる第１導入孔が形成されるとともに、他方の仕切り板に、前記他方の部分と前記第２空間とを連通させる第２導入孔が形成され、前記第１、第２通路の少なくとも一方は複数設けられるとともに、これらの第１、第２通路が前記長手方向に交互に並んでノズルに開口していることを特徴とする。
【０００６】
この発明によれば、ジョイント部材の内部空間に前記仕切り部が設けられているので、２つの容器から内部空間に供給された２種類の流動体を混ざり合わせることなく、並列させてストライプ状にノズルから吐出することができる。
【０００８】
さらにこの発明によれば、一方の前記容器内の流動体と他方の前記容器内の流動体とを混ざり合わせることなく少なくとも３列交互に並列させてノズルから吐出することが可能になり、製品の使用時における見映えをさらに向上させることができる。また、第１、第２通路の個数を適宜増減することにより、所望のストライプ本数を容易に得ることができる。
【０００９】
このような二連式容器として、例えば、前記分離板は、その表裏面が、ジョイント部材の前記上面壁および下面壁と平行となるように設けられた平板状とされ、前記内部空間のうち前記ノズルの開口部と対向する部分をジョイント部材の上面壁側の部分と下面壁側の部分とに分割し、前記第１、第２通路はこの分離板のノズル側の端部に連設され、第１通路は前記上面壁側の部分とノズルとを連通させるとともに、第２通路は前記下面壁側の部分とノズルとを連通させ、前記第１導入孔は、前記上面壁側の部分と前記第１空間とを連通させるとともに、前記第２導入孔は、前記下面壁側の部分と前記第２空間とを連通させ、前記第１導入孔から前記上面壁側の部分に導入された一方の流動体が、前記第１通路を介してノズルに到達するとともに、前記第２導入孔から前記下面壁側の部分に導入された他方の流動体が、前記第２通路を介してノズルに到達するような構成を採用することができる。
【００１０】
また、この構成に代えて、前記仕切り部は、前記内部空間のうち前記ノズルの開口部に対向する位置に配置された箱体を備え、前記一対の仕切り板はこの箱体の表面に設けられ、前記分離板は、これらの仕切り板の延在する方向における中間部同士をつなぎ、前記内部空間のうち前記ノズルの開口部と対向する部分を、ノズル側の部分とノズルと反対側の部分とに分割し、前記第１、第２通路は、前記箱体の内部に前記ノズルの開口部に向けて延在して形成されるとともに、この箱体において前記ノズル側の端面および表面に開口し、第１通路は前記ノズル側の部分とノズルとを連通させるとともに、第２通路は前記ノズルと反対側の部分とノズルとを連通させ、前記第１導入孔から前記ノズル側の部分に導入された一方の流動体が、前記第１通路を介してノズルに到達するとともに、前記第２導入孔から前記ノズルと反対側の部分に導入された他方の流動体が、前記第２通路を介してノズルに到達するような構成を採用することもできる。
【００１１】
これらの構成において、前記ジョイント部材は開閉可能とされるとともに、前記仕切り部における前記ノズルの開口部と反対側の端部と、前記内部空間における前記ノズルの開口部と対向する対向面との間にこれらを係合する係合部が設けられ、ジョイント部材を開いた状態で、前記仕切り部は、この係合部によって係合されつつ前記内部空間に対して着脱可能とされてもよい。
【００１２】
この場合、前記係合部が設けられているので、この仕切り部を内部空間に高精度に位置決めして取り付けることを容易に実現することができる。また、仕切り部が内部空間に対して着脱可能とされているので、目的に応じて、内部空間内で２種類の流動体を混合した後に、この混合体をノズルから吐出するか、前記のようにストライプ状にしてノズルから吐出するかの選択をすることが可能になり、この二連式容器の取り扱い性の向上を図ることもできる。
【発明の効果】
【００１３】
この発明に係る二連式容器によれば、２種類の流動体を並列させてストライプ状にノズルから吐出することができる。
【発明を実施するための最良の形態】
【００１４】
以下、図面を参照し、この発明の第１実施形態について説明する。本実施形態に係る二連式容器１０は、ノズル１１を有する箱状のジョイント部材１２に、互いに種類の異なる流動体Ａ、Ｂが充填された２つの容器１３、１４が、流動体Ａ、Ｂがジョイント部材１２の内部空間１２ａに供給可能に連結されて、内部空間１２ａに供給された流動体Ａ、Ｂがノズル１１を介して外部へ吐出されるようになっている。
【００１５】
なお、流動体Ａ、Ｂには、容器１３、１４から内部空間１２ａ内に供給されたときに発泡される泡状体やジェル状体あるいはクリーム状のものを含むものとする。また、容器１３、１４には、エアゾール缶やポンプあるいはチューブ等を含むものとし、本実施形態ではエアゾール缶とした構成について説明する。さらに、互いに種類の異なる流動体Ａ、Ｂには、同一の性状で単にその色彩のみを異ならせたものを含むものとする。
【００１６】
図１から図３に示す二連式容器１０では、ジョイント部材１２は、上下方向両端部がそれぞれ開口する筒状体の各開口部が、上面壁１２ｈおよび下面壁１２ｃで各別に閉塞されるとともに、ノズルの設けられた側壁前面１２ｂ側から見て横長とされて、図１および図２に示すように、その長手方向中央部にノズル１１が設けられるとともに、ノズル１１との連結部分を挟んだ長手方向両端部に２つの容器１３、１４がそれぞれ連結されている。本実施形態では、ジョイント部材１２の下面壁１２ｃのうち、側壁前面１２ｂにおけるノズル１１の連結部分を挟んだ長手方向両端部に形成された連結孔部１３ａ、１３ｂにそれぞれ、容器１３、１４の各ステムが連結されている。
【００１７】
以上の構成において、ノズル１１を突出させた状態でジョイント部材１２の全体を覆うようにしてレバー付きキャップ本体部１６が設けられている。このレバー付キャップ本体部１６の上面部において、ジョイント部材１２の側壁前面１２ｂと反対側の側壁後面１２ｄ側には、下方に押し下げ可能とされたレバー１６ａが形成されるとともに、このレバー１６ａのジョイント部材１２の側壁前面１２ｂ側の端部はヒンジ部１６ｂとされている。
【００１８】
このようにレバー１６ａを下方に向けて押し下げることにより、このレバー１６ａの下面が、エアゾール缶としての容器１３、１４の両ステムを同時にその缶軸方向下方に向けて押圧することによって、これらの容器１３、１４の流動体Ａ、Ｂが噴出され、この流動体Ａ、Ｂが内部空間１２ａ内に供給されるようになっている。
【００１９】
そして、本実施形態では、内部空間１２ａに、この内部空間１２ａを一方の容器１３から流動体Ａが供給される第１空間１２ｅと他方の容器１４から流動体Ｂが供給される第２空間１２ｆとに仕切り、かつこれらの仕切られた空間を並列させてノズル１１に連通させる仕切り部１７が設けられている。
【００２０】
本実施形態の仕切り板２２は一対の仕切り板２２ａ、２２ｂにより構成され、内部空間１２ａへのノズル１１の開口部からこの内部空間１２ａにおけるノズル１１の開口部と反対側、つまり側壁後面１２ｄ側に向けて延在して、この内部空間１２ａを、ノズル１１の開口部に対向する部分と、この部分を長手方向に挟んで互いに対向する第１空間１２ｅおよび第２空間１２ｆとに仕切っている。
【００２１】
また、仕切り部１７は、一対の仕切り板２２ａ、２２ｂ同士をつなぎ、内部空間１２ａのうちノズル１１の開口部と対向する部分を２つに分割する分離板２３を備えている。本実施形態の分離板２３は、その表裏面が、ジョイント部材１２の前記上面壁１２ｈおよび下面壁１２ｃと平行となるように一対の仕切り板２２ａ、２２ｂ同士をつなぐ平板状とされて、内部空間１２ａのうちノズル１１の開口部と対向する部分を、ジョイント部材１２の上面壁１２ｈ側の部分と下面壁１２ｃ側の部分とに分割している。なお、この分離板２３の表裏面は、仕切り板２２ａ、２２ｂの延在する方向においてノズル１１の開口部と反対側の端部から中央部に至るまで延在させられている。
【００２２】
この分離板２３のノズル１１側の端部には、前記下面壁１２ｃ側の部分とは閉塞させた状態で前記上面壁１２ｈ側の部分とノズル１１とを連通させる第１通路１８と、前記上面壁１２ｈ側の部分とは閉塞させた状態で前記下面壁１２ｃ側の部分とノズル１１とを連通させる第２通路１９とが設けられている。なお、これらの第１、第２通路１８、１９はそれぞれ、仕切り板２２ａ、２２ｂの延在する方向においてその中央部からノズル１１側の端部に至るまで位置させられている。
【００２３】
本実施形態では、第１、第２通路１８、１９はそれぞれ２つ設けられ、これらの第１、第２通路１８、１９が分離板２３の延在する方向、つまり長手方向に沿って交互に並んでノズル１１に開口している。
【００２４】
一方の仕切り板２２ａには、ノズル１１と反対側で、かつ分離板２３よりも上方に位置する部分に第１導入孔２０が形成され、また、他方の仕切り板２２ｂには、ノズル１１側で、かつ分離板２３よりも下方に位置する部分に第２導入孔２１が形成されている。第１導入孔２０により前記上面壁１２ｈ側の部分と第１空間１２ｅとが連通され、第２導入孔２１により前記下面壁１２ｃ側の部分と第２空間１２ｆとが連通されるようになっている。
【００２５】
さらに、本実施形態では、図１に示されるように、連結孔部１３ａ、１３ｂが形成されたジョイント部材１２の下面壁１２ｃは開閉可能とされている。また、分離板２３におけるノズル１１の開口部と反対側の端部と、内部空間１２ａにおけるノズル１１の開口部と対向する対向面との間にこれらを係合する係合部２４が設けられている。
【００２６】
この係合部２４は、分離板２３におけるノズル１１の開口部と反対側の端部に形成されるとともに、その上下面および端面に開口する凹溝２４ａと、内部空間１２ａにおけるノズル１１の開口部と対向する対向面に上下方向に延在するように形成されて凹溝２４ａに嵌め込まれる突起物２４ｂとにより構成されている。
【００２７】
これにより、図２に示すように、ジョイント部材１２の下面壁１２ｃを開いた状態で、仕切り部１７を内部空間１２ａに対して上下方向にスライドすることによって着脱可能とされている。
【００２８】
以上より、レバー１６ａを下方に押し下げることによって内部空間１２ａの第１空間１２ｅに供給された流動体Ａは、第１導入孔２０から分離板２３の表面側、つまり前記上面壁１２ｈ側の部分に導入されて、この流動体Ａが第１通路１８に到達したときに、この通路１８からノズル１１の開口部に至り、このノズル１１から吐出される。これと同時に、内部空間１２ａの第２空間１２ｆに供給された流動体Ｂは、第２導入孔２１から分離板２３の裏面側、つまり前記下面壁１２ｃ側の部分に導入され、その後、この流動体Ｂが第２通路１９に到達したときに、この通路１９からノズル１１の開口部に至り、このノズル１１から吐出される。これにより、内部空間１２ａに供給された２種類の流動体Ａ、Ｂを並列させてノズル１１から吐出する。
【００２９】
ここで、流動体Ａは、間隔をおいて配設された２箇所の第１通路１８に到達する。また、流動体Ｂは、間隔をおいて配設された２箇所の第２通路１９に到達する。この際、内部空間１２ａにおける前記長手方向の一端部側（図示の例では連結孔部１３ａ）から供給された流動体Ａは、２つの第２通路１９のうち少なくとも前記長手方向の一端部側に位置する第２通路１９の前記長手方向における配設位置を越えて第１通路１８に到達する。また、内部空間１２ａにおける前記長手方向の他端部側（図示の例では連結孔部１３ｂ）から供給された流動体Ｂは、２つの第１通路１８のうち少なくとも前記長手方向の他端部側に位置する第１通路１８の前記長手方向における配設位置を越えて第２通路１９に到達する。
【００３０】
以上説明したように、本実施形態による二連式容器１０によれば、ジョイント部材１２の内部空間１２ａに仕切り部１７が設けられているので、２つの容器１３、１４から内部空間１２ａに供給された２種類の流動体Ａ、Ｂを混ざり合わせることなく、並列させてストライプ状にノズル１１から吐出することができる。
【００３１】
また、本実施形態では、分離板２３におけるノズル１１の開口部と反対側の端部と、内部空間１２ａにおけるノズル１１の開口部と対向する対向面との間に係合部２４が設けられているので、この分離板２３を有する仕切り部１７を内部空間１２ａに高精度に位置決めして取り付けることを容易に実現することができる。また、仕切り部１７が内部空間１２ａに対して着脱可能とされているので、目的に応じて、内部空間１２ａ内で２種類の流動体Ａ、Ｂを混合した後に、この混合体をノズル１１から吐出するか、前記のようにストライプ状にしてノズル１１から吐出するかの選択をすることが可能になり、この二連式容器１０の取り扱い性の向上を図ることもできる。
【００３２】
さらに、本実施形態では、第１、第２通路１８、１９がそれぞれ２つ設けられ、これらの第１、第２通路１８、１９が前記長手方向に交互に並んでノズル１１に開口しているので、流動体Ａと流動体Ｂとが隣接された合計４列を並列させてストライプ状にノズル１１から吐出することが可能になり、製品の使用時における見映えをさらに向上させることができる。
【００３３】
なお、本発明の技術的範囲は前記実施の形態に限定されるものではなく、本発明の趣旨を逸脱しない範囲において種々の変更を加えることが可能である。
例えば、前記実施形態では、ジョイント部材１２の下面壁１２ｃを開閉可能としたが、固定させてもよく、あるいは下面壁１２ｃを固定して、上面壁１２ｈを開閉可能としてもよい。
【００３４】
また、係合部２４を設けることにより仕切り部１７を内部空間１２ａに対して着脱可能としたが、この内部空間１２ａに固定させるようにしてもよい。
さらに、係合部２４として、分離板２３におけるノズル１１の開口部と反対側の端部に形成された凹溝２４ａと、内部空間１２ａにおけるノズル１１の開口部と対向する対向面に形成された突起物２４ｂとを備える構成を示したが、これに代えて、分離板２３に突起物を形成するとともに、内部空間１２ａの前記対向面に凹溝を形成するようにしてもよいい。
さらにまた、前記実施形態では、ノズル１１としてその内面形状が前記長手方向に仕切られていない構成を示したが、これを仕切るようにしてもよい。つまり、第１、第２通路１８、１９をそれぞれ、ノズル１１の先端開口部にまで至らせるようにその長さを延長してもよい。
【００３５】
次に、本発明の第２実施形態について説明するが、前記第１実施形態と同一の部位には同一の符号を付してその説明は省略し、異なる点についてのみ説明する。
本実施形態では、図４および図５に示すように、仕切り部２５は、内部空間１２ａのうちノズルの開口部１１に対向する位置に配置された箱体２６を備え、この箱体２６の表面のうちノズル１１の開口部の前記長手方向両端部と対応する位置に設けられ、ノズル１１側からこれと反対側に向けて延在して、この内部空間１２ａを、ノズル１１の開口部と対向する部分と第１空間１２ｅおよび第２空間１２ｆとで仕切る一対の仕切り板２７と、これらの仕切り板２７の延在する方向における中間部同士をつなぎ、内部空間１２ａのうちノズル１１の開口部と対向する部分を、ノズル１１側の部分とノズル１１と反対側の部分とに分割する分離板３２とを備えている。
【００３６】
なお、箱体２６は、内部空間１２ａを画成する壁面のうちジョイント部材１２の上面壁１２ｈと対応する壁面と一体成形され、また、仕切り板２７および分離板３２は、内部空間１２ａを画成する壁面のうちジョイント部材１２の下面壁１２ｃと対応する壁面と一体成形されている。さらに、分離板３２の表裏面は、ジョイント部材１２の側壁前面１２ｂおよび側壁後面１２ｄと平行になっている。
【００３７】
また、箱体２６の内部には、ノズル１１の開口部に向けて延在し、この箱体２６においてノズル１１側の端面２６ａおよび表面に開口して、前記ノズル１１側の部分とノズル１１とを連通させる第１通路２８、および前記ノズル１１と反対側の部分とノズル１１とを連通させる第２通路２９が形成されている。そして、一方の仕切り板２７ａに、前記ノズル１１側の部分と内部空間１２ａの第１空間１２ｅとを連通させる第１導入孔３０が形成されるとともに、他方の仕切り板２７ｂに、前記ノズル１１と反対側の部分と内部空間１２ａの第２空間１２ｆとを連通させる第２導入孔３１が形成されている。
【００３８】
さらに、本実施形態では、第１、第２通路２８、２９はそれぞれ２つ設けられ、これらの第１、第２通路２８、２９が前記長手方向に沿って交互に並んでノズル１１に開口している。また、箱体２６の表面において、第１通路２８は分離板３２よりもノズル１１側に開口し、第２通路２９は分離板３２よりもノズル１１と反対側に開口している。
【００３９】
以上より、レバー１６ａを下方に押し下げることによって内部空間１２ａの第１空間１２ｅに供給された流動体Ａは、第１導入孔３０から前記ノズル１１側の部分に導入されて第１通路２８に到達すると、この通路２８によりノズル１１の開口部に至りノズル１１から吐出される。これと同時に、内部空間１２ａの第２空間１２ｆに供給された流動体Ｂは、第２導入孔３１から前記ノズル１１と反対側の部分に導入されて第２通路２９に到達すると、この通路２９によりノズル１１の開口部に至りノズル１１から吐出される。これにより、前記第１実施形態と同様に、内部空間１２ａに供給された２種類の流動体Ａ、Ｂを並列させてノズル１１から吐出する。
【００４０】
ここで、流動体Ａは、間隔をおいて配設された２箇所の第１通路２８に到達する。また、流動体Ｂは、間隔をおいて配設された２箇所の第２通路２９に到達する。この際、内部空間１２ａにおける前記長手方向の一端部側（図示の例では連結孔部１３ａ）から供給された流動体Ａの少なくとも一部は、２つの第２通路２９のうち前記長手方向の一端部側に位置する第２通路２９の前記長手方向における配設位置を越えて第１通路２８に到達する。また、内部空間１２ａにおける前記長手方向の他端部側（図示の例では連結孔部１３ｂ）から供給された流動体Ｂの少なくとも一部は、２つの第１通路２８のうち前記長手方向の他端部側に位置する第１通路２８の前記長手方向における配設位置を越えて第２通路２９に到達する。
【００４１】
以上説明したように、本実施形態による二連式容器４０によれば、ジョイント部材１２の内部空間１２ａに仕切り部２５が設けられているので、２つの容器１３、１４から内部空間１２ａに供給された２種類の流動体Ａ、Ｂを混ざり合わせることなく、並列させてストライプ状にしてノズル１１から吐出することができる。
【００４２】
なお、本発明の技術的範囲は前記実施の形態に限定されるものではなく、本発明の趣旨を逸脱しない範囲において種々の変更を加えることが可能である。
例えば、前記実施形態では、ジョイント部材１２の下面壁１２ｃを開閉可能としたが、固定させてもよく、あるいは下面壁１２ｃを固定して、上面壁１２ｈを開閉可能としてもよい。
また、仕切り部２５を内部空間１２ａ内に固定させたが、箱体２６と仕切り板２７と分離板３２とを一体成形する等して、前記第１実施形態と同様の係合部を介してこの内部空間１２ａに対して着脱可能に設けてもよい。
さらに、前記実施形態では、ノズル１１としてその内面形状が前記長手方向に仕切られていない構成を示したが、これを仕切るようにしてもよい。つまり、第１、第２通路２８、２９をそれぞれ、ノズル１１の先端開口部にまで至らせるようにその長さを延長してもよい。
【００４３】
さらにまた、前記第１、第２実施形態で示した仕切り部１７、２５に代えて、例えば内部空間１２ａにおけるノズル１１の開口部と対向する位置に、ノズル１１の開口部からこの内部空間１２ａにおけるノズル１１の開口部と反対側に向けて延在する仕切り板を設けることにより、流動体Ａと流動体Ｂとをこの内部空間１２ａで仕切った状態でノズル１１に供給し、２種類の流動体Ａ、Ｂを２列に並列させてノズル１１から吐出するようにしてもよい。
【産業上の利用可能性】
【００４４】
２種類の流動体をストライプ状に並列させてノズルから吐出できる二連式容器を提供する。
【図面の簡単な説明】
【００４５】
【図１】本発明に係る第１実施形態として示した二連式容器のジョイント部の概略構成図である。
【図２】図１に示すジョイント部を上下反転させて展開した状態を示す図である。
【図３】本発明に係る一実施形態として示した二連式容器の概略構成図である。
【図４】本発明に係る第２実施形態として示した二連式容器のジョイント部を上下反転させて展開したときの状態を示す図である。
【図５】本発明に係る第２実施形態として示した二連式容器のジョイント部を上下を反転させた状態での横断面図である。
【符号の説明】
【００４６】
１０、４０  二連式容器
１１  ノズル
１２  ジョイント部材
１２ａ  内部空間
１２ｂ  側壁前面
１２ｃ  下面壁
１２ｅ  第１空間
１２ｆ  第２空間
１２ｈ  上面壁
１３、１４  容器
１７、２５  仕切り部
１８、２８  第１通路
１９、２９  第２通路
２０、３０  第１導入孔
２１、３１  第２導入孔
２２、２７  仕切り板
２３、３２  分離板
２４  係合部
Ａ、Ｂ  流動体
【図１】
0004757592.tif 000002
【図２】
0004757592.tif 000003
【図３】
0004757592.tif 000004
【図４】
0004757592.tif 000005
【図５】
0004757592.tif 000006